(57)【要約】  映像信号監視装置は、複数の映像信号を受け付ける複数の入力端子と、複数の入力端子と対応づけられ、自己に対応する入力端子が受け付けた映像信号から該映像信号の種別を特定するための種別情報を検出し、その検出結果を保持する複数の検出手段と、を含む。
2012111064.tif 000002
【特許請求の範囲】
【請求項１】
複数の映像信号を受け付ける複数の入力端子と、
前記複数の入力端子と対応づけられ、自己に対応する入力端子が受け付けた映像信号から該映像信号の種別を特定するための種別情報を検出し、その検出結果を保持する複数の検出手段と、を含む映像信号監視装置。
【請求項２】
請求項１に記載の映像信号監視装置において、
前記複数の入力端子は、
アナログ映像信号を受け付ける第１端子と、
自映像信号の特徴を示す特徴情報とデータイネーブル信号とを含むデジタル映像信号を受け付ける第２端子と、
映像ライン数にて種別を特定可能な所定映像信号を受け付ける第３端子と、を含み、
前記複数の検出手段は、
前記第１端子と対応づけられ、該第１端子が受け付けたアナログ映像信号から、水平同期周波数と垂直同期周波数と総ライン数と同期極性と同期タイプとスキャンタイプと垂直同期信号幅と映像ライン数とを前記種別情報として検出し、該検出結果を保持する第１検出手段と、
前記第２端子と対応づけられ、該第２端子が受け付けたデジタル映像信号から、前記特徴情報と前記データイネーブル信号と水平同期周波数と垂直同期周波数と総ライン数と同期極性と同期タイプとスキャンタイプと垂直同期信号幅と映像ライン数とを前記種別情報として検出し、該検出結果を保持する第２検出手段と、
前記第３端子と対応づけられ、該第３端子が受け付けた所定映像信号から、映像ライン数を前記種別情報として検出し、該検出結果を保持する第３検出手段と、を含む、映像信号監視装置。
【請求項３】
請求項２に記載の映像信号監視装置において、
前記種別は、映像信号の色表現形式と解像度の組み合わせにて特定され、
前記第３端子は、ＮＴＳＣ方式に準拠した映像信号、ＰＡＬ方式に準拠した映像信号およびＳＥＣＡＭ方式に準拠した映像信号のいずれかを受け付ける端子、または、前記映像信号監視装置に接続され前記複数の映像信号から選択された映像信号に応じた映像を表示する表示パネルが有する解像度を有しかつ所定の色表現形式が用いられた映像信号を受け付ける端子である、映像信号監視装置。
【請求項４】
請求項２または３に記載の映像信号監視装置において、
前記第２端子は、前記特徴情報としてＡＶＩインフォフレームを有するＨＤＭＩ規格に準拠したデジタル映像信号を受け付けるＨＤＭＩ端子、または、前記特徴情報としてディスプレイポートコンフィグレーションデータを有するディスプレイポート規格に準拠したデジタル映像信号を受け付けるディスプレイポート端子である、映像信号監視装置。
【請求項５】
請求項１から４のいずれか１項に記載の映像信号監視装置と、
前記複数の入力端子のうち、前記複数の映像信号のいずれかである選択映像信号を受け付けている選択端子を特定するための選択指示を受け付ける受付手段と、
前記選択指示が受け付けられた場合に、前記複数の検出手段のうち前記選択端子に対応する選択検出手段を特定し、該選択検出手段内の検出結果に応じた画像処理を前記選択映像信号に行って表示信号を生成する処理手段と、
前記表示信号に応じた映像を表示する表示手段と、を含む映像表示装置。
【請求項６】
請求項５に記載の映像表示装置において、
前記処理手段は、前記選択指示が受け付けられた場合に、前記選択映像信号の垂直同期のタイミングに同期したタイミングで、前記選択検出手段内の検出結果に応じた画像処理を前記選択映像信号に行って前記表示信号を生成する動作を開始する、映像表示装置。
【発明の詳細な説明】
【技術分野】
【０００１】
本発明は、複数の映像信号の種別を特定するための種別情報を検出する映像信号監視装置および映像表示装置に関する。
【背景技術】
【０００２】
映像信号の入力端子として、アナログ映像信号を受け付けるコンピュータ端子（例えばD端子）の他に、例えば、アナログテレビ放送方式に準拠した映像信号を受け付けるS（Separate）端子や、HDMI（High-Definition Multimedia Interface）端子、および、USB（Universal Serial Bus）端子が知られている。【０００３】
それぞれの入力端子に入力される映像信号は、映像信号の種別、具体的には、映像信号の色表現形式（RGB信号またはYUV信号）と映像信号の解像度との組み合わせにて特定される種別に応じて設定された同期信号を含む。【０００４】
特許文献１には、入力された映像信号に含まれる同期信号から、映像信号の種別の判定に必要な各種の情報（以下「種別情報」と称する）を検出し、その種別情報に応じて映像信号に対して適切な画像処理を行って映像を表示する映像表示装置が記載されている。【０００５】
特許文献１に記載の映像表示置は、種別情報として、水平同期周波数、垂直同期周波数、総ライン数、同期極性（NegaまたはPosi）、同期タイプ（Sep（水平、垂直周波数）、CS（コンポジットシンク：複合同期）またはSync on G（緑信号同期）、Tri Sync（三値同期））、スキャンタイプ（Interlaced：インターレース、またはNon-Interlaced：ノンインターレース）、垂直同期幅、および、有効映像ライン数を検出する。【０００６】
図１は、映像信号の入力端子として、コンピュータ端子（D端子）１０１とHDMI端子１０２とS端子１０３とUSB端子１０４とを用いた関連技術の映像表示装置のブロック図である。【０００７】
図１において、受付部４０１は、表示対象となる映像信号を受け付けている選択入力端子を示す選択指示を受け付ける。【０００８】
信号判別監視回路３０１は、選択指示が受け付けられると、端子IN1〜IN4のいずれかを介して選択入力端子と接続する。信号判別監視回路３０１は、自己と接続する入力端子（選択入力端子）が切り替わると、切り替わった後の入力端子からの映像信号から種別情報を検出する。なお、信号判別監視回路３０１は、同時に複数の映像信号を受け付けることができない。【０００９】
ここで、信号判別監視回路３０１と接続される入力端子が選択指示によって切り替わったときの動作を説明する。【００１０】
選択指示の受け付けに伴い信号判別監視回路３０１と接続される入力端子が切り替わると、信号判別監視回路３０１は、スケーラー回路５０１からの表示信号を固定値に設定して表示パネル７０１での表示映像を所定の映像（例えば、ブルーブラック映像）にする。なお、信号判別監視回路３０１は、入力端子の切り替えに伴い、スケーラー回路５０１に表示映像の静止（フリーズ）を指示してもよい。【００１１】
信号判別監視回路３０１内の検出保持回路３０１ｂは、切り替わった後の入力端子からの映像信号から種別情報（水平同期周波数、垂直同期周波数、総ライン数、同期極性、同期タイプ、スキャンタイプ、垂直同期幅、および、有効映像ライン数）を検出する。検出保持回路３０１ｂは、その検出結果をCPU６０１に出力する。【００１２】
CPU６０１は、検出保持回路３０１ｂから検出結果を受け付けると、その検出結果に基づいて映像信号の種別を判別する。なお、検出保持回路３０１ｂの検出結果に基づいて映像信号の種別を判定する技術は、特許文献１に記載されており公知であるため、その詳細な説明は省略する。【００１３】
CPU６０１は、映像信号の種別を判別すると、その判別結果に対応したパラメータ値、具体的には、スケーラー回路５０１用の解像度変換データ、アスペクト比およびカラーシステム（映像信号の色表現形式がRGB形式かYUV形式かを示す情報）をスケーラー回路５０１に供給し、スケーラー回路５０１が行う画像処理を設定する。なお、CPU６０１が、スケーラー回路５０１にて行われる画像処理を設定する技術は、特許文献１に記載されており公知であるため、その詳細な説明は省略する。【００１４】
スケーラー回路５０１は、CPU６０１にて画像処理が設定されると、その設定された画像処理を信号判別監視回路３０１からの映像信号に対して行って表示信号を生成する。【００１５】
スケーラー回路５０１は、表示信号を生成すると、所定の映像（例えば、ブルーブラック映像）の表示または映像の静止状態を解除し、表示信号に応じた映像を表示パネル７０１に表示する。
【先行技術文献】
【特許文献】
【００１６】
【特許文献１】特開２００７−９６８７５号公報
【発明の概要】
【発明が解決しようとする課題】
【００１７】
図１に示した関連技術の映像表示装置では、信号判別監視回路３０１は、表示対象の映像信号を切り替えるために自己と接続される入力端子が切り替わってから、切り替わった後の入力端子からの映像信号から種別情報を検出する。【００１８】
その後、図１に示した関連技術の映像表示装置は、信号判別監視回路３０１の検出結果に基づいて映像信号の種別を判定し、その判定結果に応じて画像処理を設定し、その映像信号に応じた映像を表示する。【００１９】
このため、図１に示した関連技術の映像表示装置では、信号判別監視回路３０１と接続される入力端子が切り替わってから、新たな映像信号に応じた映像が表示されるまで、時間がかかるという問題があった。【００２０】
この問題の１つの要因は、信号判別監視回路３０１が、表示対象の映像信号の切り替わりに伴って自己と接続される入力端子が切り替わるごとに、種別情報を検出しなければならないことである。そして、この要因は、信号判別監視回路３０１が同時に複数の映像信号を受け付けられず複数の映像信号のそれぞれから同時に種別情報を検出できないことに起因する。よって、同時に複数の映像信号を受け付けられ、複数の映像信号のそれぞれから同時に種別情報を検出可能な信号判別監視装置が望まれるという課題があった。【００２１】
本発明の目的は、上述した課題を解決可能な映像信号監視装置および映像表示装置を提供することにある。
【課題を解決するための手段】
【００２２】
本発明の映像信号監視装置は、複数の映像信号を受け付ける複数の入力端子と、前記複数の入力端子と対応づけられ、自己に対応する入力端子が受け付けた映像信号から該映像信号の種別を特定するための種別情報を検出し、その検出結果を保持する複数の検出手段と、を含む。【００２３】
本発明の映像表示装置は、上記映像信号監視装置と、前記複数の入力端子のうち、前記複数の映像信号のいずれかである選択映像信号を受け付けている選択端子を特定するための選択指示を受け付ける受付手段と、前記選択指示が受け付けられた場合に、前記複数の検出手段のうち前記選択端子に対応する選択検出手段を特定し、該選択検出手段内の検出結果に応じた画像処理を前記選択映像信号に行って表示信号を生成する処理手段と、前記表示信号に応じた映像を表示する表示手段と、を含む。
【発明の効果】
【００２４】
本発明によれば、同時に複数の映像信号を受け付けられ複数の映像信号のそれぞれから同時に種別情報を検出することが可能になる。
【図面の簡単な説明】
【００２５】
【図１】関連技術の映像表示装置のブロック図である。
【図２】本発明の一実施形態の映像表示装置１を示したブロック図である。
【図３】信号判別監視回路３０１を示した図である。
【図４】信号判別監視回路３０２を示した図である。
【図５】固定信号ライン監視保持回路３０３を示した図である。
【発明を実施するための形態】
【００２６】
以下、本発明の一実施形態の映像表示装置について説明する。
【００２７】
図２は、本発明の一実施形態の映像表示装置１を示したブロック図である。図２において、図１に示したものと同一構成のものには同一符号を付してある。
【００２８】
図２において、映像表示装置１は、入力端子として、コンピュータ端子（D端子）１０１とHDMI端子１０２とS端子１０３とUSB端子１０４とディスプレイポート端子１０５とコンポジット端子（RCA端子）１０６とRJ-45端子１０７とを含む。また、映像表示装置１は、A/Dコンバータ２０１と、HDMIレシーバ２０２と、ビデオデコーダ２０３と、ディスプレイポートレシーバ２０５と、端子IN1〜IN5と、監視部３００と、受付部４０１と、処理部５００と、表示パネル７０１と、を含む。監視部３００は、信号判別監視回路３０１と、信号判別監視回路３０２と、固定信号ライン監視保持回路３０３と、を含む。処理部５００は、スケーラー回路５０１とCPU６０１とを含む。なお、コンピュータ端子（Ｄ端子）１０１とHDMI端子１０２とS端子１０３とUSB端子１０４とディスプレイポート端子１０５とコンポジット端子１０６とRJ-45端子１０７と監視部３００とは、映像信号監視装置に含まれる。
【００２９】
コンピュータ端子（D端子）１０１は、第１端子の一例であり、同期信号を含むアナログ映像信号を受け付ける。なお、同期信号は、同期信号を含む映像信号の種別（色表現形式と解像度との組み合わせで特定される種別）に応じて設定された種別情報（水平同期周波数、垂直同期周波数、総ライン数、同期極性、同期タイプ、スキャンタイプ、垂直同期信号幅および映像ライン数）を含む。
【００３０】
HDMI端子１０２は、第２端子の一例であり、HDMI規格に準拠したデジタル映像信号（以下「HDMI映像信号」と称する）を受け付ける。HDMI映像信号は、同期信号と、映像Date Enable（データイネーブル）信号（以下「DE信号」と称する）と、Auxiliary Video Information Info Frame（以下「AVIインフォフレーム」と称する）と、5V信号と、ホットプラグ信号と、を含む。
【００３１】
AVIインフォフレームは、HDMI映像信号の特徴を示す特徴情報（例えば、「RGB/YCbCr（444/422）」、「VideoLEVEL（RGB Quantization）」、「VideoLEVEL（YCbCr Quantization）」、「Scan（オーバスキャン、アンダースキャン）」、「アスペクト比」、「IT Content（γ）」、「Bar Info」、「ActiveF Info」、「Scaling」、「Colorimetry」、「Extended color」、および「xvColor」）を含む。なお、AVIインフォフレームに含まれる情報はHDMI規格に基づく。
【００３２】
ディスプレイポート端子１０５は、第２端子の一例であり、ディスプレイポート規格に準拠したデジタル映像信号（以下「DP映像信号」と称する）を受け付ける。DP映像信号は、同期信号と、DE信号と、ディスプレイポートコンフィグレーションデータ（DisplayPort Configuration Data、以下「DPCD」と称する）と、5V信号と、ホットプラグ信号と、を含む。
【００３３】
DPCDは、DP映像信号の特徴を示す特徴情報（例えば、「Link BW」、「Lane Count」、「Bit Depth」、「Comp Format」、「ダイナミックレンジ」、および「サンプリングレート」を含む。なお、DPCDに含まれる情報はディスプレイポート規格に基づく。
【００３４】
S端子１０３およびコンポジット端子１０６は、第３端子の一例であり、アナログテレビ放送用の規格であるNTSC（National Television Standards Committee）方式、PAL（Phase Alternation by Line）方式またはSECAM SEquential Couleur A Memoire）方式に準拠するビデオ信号（所定映像信号）を受け付ける。
【００３５】
S端子１０３およびコンポジット端子１０６がそれぞれ受け付けるビデオ信号は、そのビデオ信号の種別に応じて設定された同期信号を含む。
【００３６】
なお、NTSC方式に準拠した映像信号は、映像ライン数が240であり、色表現形式がYUV形式であり、アスペクト比が4：3である。また、PAL方式に準拠した映像信号は、映像ライン数が288であり、色表現形式がYUV形式であり、アスペクト比が4：3である。また、SECAM方式に準拠した映像信号は、映像ライン数が288であり、色表現形式がYUV形式であり、アスペクト比が4：3である。
【００３７】
RJ-45端子１０７およびUSB端子１０４は、第３端子の一例であり、同期信号を含む映像信号を受け付ける。RJ-45端子１０７およびUSB端子１０４は、映像信号を受け付けると、表示手段の一例である表示パネル７０１の解像度と同一の解像度を持つ映像信号（RJ-45端子１０７およびUSB端子１０４が接続されているマルチメディア基板にてデコードされたマルチメディア基板出力映像信号）を出力する。また、RJ-45端子１０７およびUSB端子１０４からの映像信号は、色表現形式がRGB形式である。本実施形態では、表示パネル７０１の解像度の映像ライン数を、768か800か1200のいずれかとする。表示パネル７０１の解像度の映像ライン数は、768か800か1200に限るものではない。
【００３８】
例えば、表示パネル７０１の解像度が1024x768である場合、RJ-45端子１０７およびUSB端子１０４から出力される映像信号は、解像度が1024x768であり、色表現形式がRGB形式であり、解像度にて一意に特定されるアスペクト比が4：3となる。
【００３９】
また、表示パネル７０１の解像度が1366x768である場合、RJ-45端子１０７およびUSB端子１０４が受け付ける映像信号は、解像度が1366x768であり、色表現形式がRGB形式であり、解像度にて一意に特定されるアスペクト比が16：9となる。
【００４０】
また、表示パネル７０１の解像度が1280x800である場合、RJ-45端子１０７およびUSB端子１０４が受け付ける映像信号は、解像度が1280x800であり、色表現形式がRGB形式であり、解像度にて一意に特定されるアスペクト比が16:9となる。
【００４１】
また、表示パネル７０１の解像度が1920x1200である場合、RJ-45端子１０７およびUSB端子１０４が受け付ける映像信号は、解像度が1920x1200であり、色表現形式がRGB形式であり、解像度にて一意に特定されるアスペクト比が16：9となる。
【００４２】
A/Dコンバータ２０１は、コンピュータ端子１０１が受け付けたアナログ映像信号をデジタル信号に変換する。HDMIレシーバ２０２は、HDMI端子１０２からHDMI映像信号を受け付ける。ビデオデコーダ２０３は、S端子１０３およびコンポジット端子１０６から映像信号を受け付け、その映像信号をデコードする。ディスプレイポートレシーバ２０５は、ディスプレイポート端子１０５からDP映像信号を受け付ける。
【００４３】
端子N1は、A/Dコンバータ２０１の出力を受け付ける。端子N2は、HDMIレシーバ２０２の出力を受け付ける。端子N5は、ディスプレイポート２０５の出力を受け付ける。端子N3は、ビデオデコーダ２０３の出力を受け付ける。端子N4は、マルチメディア基板出力映像信号を受け付ける。
【００４４】
監視部３００は、コンピュータ端子１０１からのアナログ映像信号専用の信号判別監視回路３０１と、HDMI端子１０２またはディスプレイポート端子１０５からのデジタル映像信号専用の信号判別監視回路３０２と、ビデオ信号／S-ビデオ信号とマルチメディア基板出力映像信号専用の固定信号ライン監視保持回路３０３と、を含む。
【００４５】
信号判別監視回路３０１、信号判別監視回路３０２および固定信号ライン監視保持回路３０３の各出力は、後段のスケーラー回路５０１の入力端子INaまたはINbに、任意に出力することが可能になっている。
【００４６】
図３は、監視部３００内の信号判別監視回路３０１を示した図である。なお、図３において、図１に示したものと同一構成のものには同一符号を付してある。
【００４７】
信号判別監視回路３０１は、一般的に第１検出手段と呼ぶことができる。信号判別監視回路３０１は、コンピュータ端子１０１と対応づけられている。信号判別監視回路３０１は、全黒検出回路３０１ａと、検出保持回路３０１ｂと、無信号判定回路３０１ｃと、を含む。
【００４８】
無信号判定回路３０１ｃは、信号判別監視回路３０１に端子IN1から映像信号が入力されているか否かを判定する。無信号判定回路３０１ｃの判定結果が、映像信号無しから映像信号有りに切り替わると、信号判別監視回路３０１は信号判定処理を開始する。
【００４９】
信号判定処理では、検出保持回路３０１ｂは、映像信号に含まれる水平同期信号および垂直同期信号から、水平同期周波数、垂直同期周波数、総ライン数、同期極性、同期タイプ、スキャンタイプ、垂直同期幅、および、有効映像ライン数を、種別情報として検出し、その検出結果を保持する。検出保持回路３０１ｂの検出結果は、映像信号の種別に応じた結果となる。
【００５０】
また、信号判別監視回路３０１では、全黒検出回路３０１ａが全黒のフレームを検出し、その後、検出保持回路３０１ｂが映像信号に含まれる水平同期信号の周波数の変更を検出すると、信号判別監視回路３０１は、端子IN1からの映像信号の種別が変更されたと判断し、検出保持回路３０１ｂが、変更後の映像信号に含まれる水平同期信号および垂直同期信号から種別情報を検出し、その検出結果を保持する。
【００５１】
図４は、監視部３００内の信号判別監視回路３０２を示した図である。図４において、図３に示したものと同一構成のものには同一符号を付してある。
【００５２】
信号判別監視回路３０２は、図３に示した信号判別監視回路３０１が有する構成に加えて、DE検出保持回路３０２ａと、AVIインフォフレーム検出保持回路３０２ｂと、DPCD検出保持回路３０２ｃと、5Vホットプラグ検出回路３０２ｄと、を含む。
【００５３】
信号判別監視回路３０２は、一般的に第２検出手段と呼ぶことができる。信号判別監視回路３０２は、HDMI端子１０２とディスプレイポート端子１０５とに対応づけられている。信号判別監視回路３０２は、端子IN2と端子IN5とに択一的に接続する。
【００５４】
信号判別監視回路３０２内の検出保持回路３０１ｂは、端子IN2からのHDMI映像信号に含まれる同期信号から、水平同期周波数、垂直同期周波数、総ライン数、同期極性、同期タイプ、スキャンタイプ、垂直同期幅、および、有効映像ライン数を、端子IN2に関する種別情報として検出する。信号判別監視回路３０２内の検出保持回路３０１ｂは、端子IN2に関する種別情報を保持する。
【００５５】
また、信号判別監視回路３０２内の検出保持回路３０１ｂは、端子IN5からのDP映像信号に含まれる同期信号から、水平同期周波数、垂直同期周波数、総ライン数、同期極性、同期タイプ、スキャンタイプ、垂直同期幅、および、有効映像ライン数を、端子IN5に関する種別情報として検出する。信号判別監視回路３０２内の検出保持回路３０１ｂは、端子IN5に関する種別情報を保持する。
【００５６】
DE検出保持回路３０２ａは、端子IN2からのHDMI映像信号からDE信号を検出し、その検出結果を端子IN2に関する種別情報として保持する。
【００５７】
また、DE検出保持回路３０２ａは、端子IN5からのDP映像信号からDE信号を検出し、その検出結果を端子IN5に関する種別情報として保持する。
【００５８】
AVIインフォフレーム検出保持回路３０２ｂは、HDMI映像信号からAVIインフォフレームを端子IN2に関する種別情報として検出し、その検出結果を保持する。
【００５９】
DPCD検出保持回路３０２ｃは、DP映像信号からDPCDを端子IN5に関する種別情報として検出し、その検出結果を保持する。
【００６０】
5Vホットプラグ検出回路３０２ｄは、5V信号とホットプラグ信号とが入力されているか否かを検出する。
【００６１】
図５は、監視部３００内の固定信号ライン監視保持回路３０３を示した図である。
【００６２】
固定信号ライン監視保持回路３０３は、一般的に第３検出手段と呼ぶことができる。固定信号ライン監視保持回路３０３は、S端子１０３とUSB端子１０４とコンポジット端子１０６とRJ-45端子１０７とに対応づけられている。固定信号ライン監視保持回路３０３は、端子IN3と端子IN4とに択一的に接続する。
【００６３】
固定信号ライン監視保持回路３０３は、端子IN3からビデオ信号（NTSC方式に準拠した映像信号、PAL方式に準拠した映像信号、またはSECAM方式に準拠した映像信号）を受け付けると、そのビデオ信号に含まれる同期信号から映像ライン数を端子IN3に関する種別情報として検出する。固定信号ライン監視保持回路３０３は、端子IN3に関する種別情報を保持する。
【００６４】
S端子１０３およびコンポジット端子１０６に入力するビデオ信号は、NTSC方式に準拠した映像信号、PAL方式に準拠した映像信号およびSECAM方式に準拠した映像信号のいずれかである。
【００６５】
このため、S端子１０３およびコンポジット端子１０６に入力するビデオ信号は、映像ライン数が、240（NTSC方式に準拠した映像信号）か288（PAL方式に準拠した映像信号およびSECAM方式に準拠した映像信号）のいずれかとなり、アスペクト比が必ず4：3となり、色表現形式が必ずYUV形式となる。
【００６６】
したがって、端子IN3から入力される映像信号については、スケーラー回路５０１に設定される情報である解像度変換データ、アスペクト比およびカラーシステムのうち、アスペクト比およびカラーシステムは、それぞれ、4：3、YUV信号と予め決まっている。よって、映像ライン数が分かれば、CPU６０１は、スケーラー回路５０１に設定される情報（解像度変換データ、アスペクト比およびカラーシステム）、および映像信号の種別を特定することができる。
【００６７】
また、固定信号ライン監視保持回路３０３は、端子IN4からマルチメディア基板出力映像信号を受け付けると、そのマルチメディア基板出力映像信号に含まれる同期信号から映像ライン数を端子IN4に関する種別情報として検出する。固定信号ライン監視保持回路３０３は、端子IN4に関する種別情報を保持する。
【００６８】
なお、端子IN4に入力するマルチメディア基板出力映像信号は、表示パネル７０１の解像度と同一の解像度を有する。また、マルチメディア基板出力映像信号の色表現形式は必ずRGB形式となる。
【００６９】
このため、端子IN4から入力される映像信号については、スケーラー回路５０１に設定される情報である解像度変換データ、アスペクト比およびカラーシステムのうち、カラーシステムは予めRGB信号に決まっており、アスペクト比も表示パネル７０１が有するアスペクト比に決まっており、解像度変換データも決まっている。このため、表示パネル７０１と同一の解像度にて規定される映像ライン数と同一の映像ライン数を有する映像信号が入力されていることを判定すれば、CPU６０１は、スケーラー回路５０１に設定される情報（解像度変換データ、アスペクト比およびカラーシステム）、および映像信号の種別を特定することができる。
【００７０】
図２に戻って、受付部４０１は、一般的に受付手段と呼ぶことができる。
【００７１】
受付部４０１は、コンピュータ端子１０１、HDMI端子１０２、S端子１０３、USB端子１０４、ディスプレイポート端子１０５、コンポジット端子１０６、および、RJ-45端子１０７のいずれかである入力端子（選択端子）を特定するための選択指示を受け付ける。
【００７２】
受付部４０１は、例えばユーザがリモコンを操作してリモコンから送信された選択指示（例えば、選択端子としてコンピュータ端子１０１を示す選択指示）を受け付ける。受付部４０１は、選択指示を受け付けると、その選択指示をCPU６０１に出力する。以下では、選択指示にて示された映像信号を「選択映像信号」と称する。
【００７３】
処理部５００は、一般的に処理手段と呼ぶことができる。
【００７４】
処理部５００は、選択端子が受け付けている選択映像信号を監視部３００から出力させ、かつ、信号判別監視回路３０１と信号判別監視回路３０２と固定信号ライン監視保持回路３０３のうち選択端子に対応づけられた回路から選択映像信号の種別情報を読み取り、その種別情報に応じた画像処理を選択映像信号に行うことによって表示信号を生成する。処理部５００は、表示信号に応じた映像を表示パネル７０１に表示する。
【００７５】
CPU６０１は、受付部４０１にて選択指示が受け付けられると、選択指示が示す入力端子に対応づけられた回路（信号判別監視回路３０２と固定信号ライン監視保持回路３０３のいずれか）から選択映像信号についての種別情報を読み取る。
【００７６】
CPU６０１は、その種別情報に基づいて選択映像信号の種別を判定し、その判定結果に従って、解像度変換データ、アスペクト比およびカラーシステムをスケーラー回路５０１に設定する。
【００７７】
例えば、選択端子がHDMI端子１０２である場合、CPU６０１は、信号判別監視回路３０２から端子IN2に関する種別情報を読み取り、その種別情報に基づいて選択映像信号の種別を判定し、その判定結果に基づいて、解像度変換データ、アスペクト比およびカラーシステムをスケーラー回路５０１に設定する。なお、DE信号やAVIインフォフレームの情報を用いたCPU６０１が行う種別判定手法はHDMI規格に準拠する。
【００７８】
また、選択端子がディスプレイポート１０５である場合、CPU６０１は、信号判別監視回路３０２から、端子IN5に関する種別情報を読み取り、その種別情報に基づいて選択映像信号の種別を判定し、その判定結果に基づいて、解像度変換データ、アスペクト比およびカラーシステムをスケーラー回路５０１に設定する。なお、DE信号やDPCDの情報を用いたCPU６０１が行う種別判定手法はディスプレイポート規格に準拠する。
【００７９】
選択端子がS端子１０３である場合、CPU６０１は、信号判別監視回路３０３から、端子IN3に関する種別情報を読み取り、その種別情報に基づいて選択映像信号の種別を判定し、その判定結果に基づいて、解像度変換データ、アスペクト比およびカラーシステムをスケーラー回路５０１に設定する。この場合、解像度変換データは、映像ライン数に応じて設定され、アスペクト比およびカラーシステムは、それぞれ、4：3、YUV信号と設定される。
【００８０】
選択端子がコンポジット端子１０６である場合、CPU６０１は、信号判別監視回路３０３から、端子IN3に関する種別情報を読み取り、その種別情報に基づいて選択映像信号の種別を判定し、その判定結果に基づいて、解像度変換データ、アスペクト比およびカラーシステムをスケーラー回路５０１に設定する。この場合、解像度変換データは、映像ライン数に応じて設定され、アスペクト比およびカラーシステムは、それぞれ、4：3、YUV信号と設定される。なお、本実施形態では、S端子１０３とコンポジット端子１０６のいずれかしか使用されない場合を想定している。
【００８１】
選択端子がRJ-45端子１０７である場合、CPU６０１は、信号判別監視回路３０３から、端子IN4に関する種別情報を読み取り、その種別情報に基づいて選択映像信号の種別を判定し、その判定結果に基づいて、解像度変換データ、アスペクト比およびカラーシステムをスケーラー回路５０１に設定する。この場合、解像度変換データは既定に設定され、アスペクト比は表示パネル７０１の解像度にしたがって設定され、カラーシステムは、RGB信号と設定される。
【００８２】
選択端子がUSB端子１０４である場合、CPU６０１は、信号判別監視回路３０３から、端子IN4に関する種別情報を読み取り、その種別情報に基づいて選択映像信号の種別を判定し、その判定結果に基づいて、解像度変換データ、アスペクト比およびカラーシステムをスケーラー回路５０１に設定する。この場合、解像度変換データは既定に設定され、アスペクト比は表示パネル７０１の解像度にしたがって設定され、カラーシステムは、RGB信号と設定される。なお、本実施形態では、RJ-45端子１０７とUSB端子１０４のいずれかしか使用されない場合を想定している。
【００８３】
次に、動作を説明する。
【００８４】
信号判別監視回路３０１では、端子IN1から映像信号が入力されると、検出保持回路３０１ｂが、その映像信号に含まれる水平同期信号および垂直同期信号から、水平同期周波数、垂直同期周波数、総ライン数、同期極性、同期タイプ、スキャンタイプ、垂直同期幅、および、有効映像ライン数を、種別情報として検出し、その検出結果を保持する。
【００８５】
その後、信号判別監視回路３０１において、全黒検出回路３０１ａが全黒信号を検出すると、検出保持回路３０１ｂは、全黒検出回路３０１ａが全黒信号を検出した後に入力される映像信号に含まれる水平同期信号および垂直同期信号から、水平同期周波数、垂直同期周波数、総ライン数、同期極性、同期タイプ、スキャンタイプ、垂直同期幅、および、有効映像ライン数を、種別情報として検出し、その検出結果を既に保持されていた検出結果の代わりに保持する。
【００８６】
信号判別監視回路３０１は、検出結果を保持するごとに、信号判別監視回路３０１が検出結果を保持したことを示す第１検出信号をCPU６０１に出力する。
【００８７】
CPU６０１は、第１検出信号を受け付けると、信号判別監視回路３０１から検出結果（種別情報）を読み取り、その検出結果に基づいて、Ａ／Ｄコンバータ２０１の分周比と位相を設定して、コンピュータ端子１０１が受け付けているアナログ映像信号に適した動作をＡ／Ｄコンバータ２０１に実行させる。
【００８８】
信号判別監視回路３０２は、選択端子がHDMI端子１０２でもなくディスプレイポート端子１０５でもない場合にCPU６０１が指示する監視タイミング（この監視タイミングは任意に設定可能）で、信号判別監視回路３０２と接続する端子を、端子IN2と端子IN5の間で切り替えていく。
【００８９】
信号判別監視回路３０２では、端子IN2から映像信号が入力されると、検出保持回路３０１ｂが、その映像信号に含まれる水平同期信号および垂直同期信号から、水平同期周波数、垂直同期周波数、総ライン数、同期極性、同期タイプ、スキャンタイプ、垂直同期幅、および、有効映像ライン数を、端子IN2に関する種別情報として検出し、その検出結果（端子IN2に関する種別情報）を保持する。また、DE検出保持回路３０２ａは、端子IN2からの映像信号に含まれるDE信号を端子IN2に関する種別情報として検出し、その検出結果を保持する。また、AVIインフォフレーム検出保持回路３０２ｂは、端子IN2からの映像信号に含まれるAVIインフォフレームを端子IN2に関する種別情報として検出し、その検出結果を保持する。
【００９０】
その後、信号判別監視回路３０２において、全黒検出回路３０１ａまたはDE検出保持回路３０２ａが端子IN2からの全黒信号を検出すると、検出保持回路３０１ｂは、全黒信号を検出した後に端子IN2から入力される映像信号に含まれる水平同期信号および垂直同期信号から、水平同期周波数、垂直同期周波数、総ライン数、同期極性、同期タイプ、スキャンタイプ、垂直同期幅、および、有効映像ライン数を、端子IN2に関する種別情報として検出し、その検出結果（端子IN2に関する種別情報）を、既に保持されていた端子IN2に関する種別情報の代わりに保持する。また、端子IN2からの全黒信号が検出されると、DE検出保持回路３０２ａは、その後に端子IN2から入力される映像信号に含まれるDE信号を端子IN2に関する種別情報として検出し、その検出結果を、既に保持されていた検出結果（端子IN2に関する種別情報）の代わりに保持する。また、端子IN2からの全黒信号が検出されると、AVIインフォフレーム検出保持回路３０２ｂは、その後に端子IN2から入力される映像信号に含まれるAVIインフォフレームを検出し、その検出結果を、既に保持されていた検出結果（端子IN2に関する種別情報）の代わりに保持する。
【００９１】
信号判別監視回路３０２は、AVIインフォフレーム検出保持回路３０２ｂが検出結果を保持するごとに、AVIインフォフレーム検出保持回路３０２ｂが検出結果を保持したことを示す第２検出信号をCPU６０１に出力する。
【００９２】
CPU６０１は、第２検出信号を受け付けると、DE検出回路３０２およびAVIインフォフレーム検出保持回路３０２ｂから検出結果（端子IN2に関する種別情報）を読み取り、その検出結果に基づいて、HDMIレシーバ２０２の動作（例えば、フレームを確定する動作）を設定し、HDMI端子１２１が受け付けているHDMI信号に適した動作をHDMIレシーバ２０２に実行させる。
【００９３】
また、信号判別監視回路３０２では、端子IN5から映像信号が入力されると、検出保持回路３０１ｂが、その映像信号に含まれる水平同期信号および垂直同期信号から、水平同期周波数、垂直同期周波数、総ライン数、同期極性、同期タイプ、スキャンタイプ、垂直同期幅、および、有効映像ライン数を、端子IN5に関する種別情報として検出し、その検出結果（端子IN5に関する種別情報）を保持する。DE検出保持回路３０２ａは、端子IN5からの映像信号に含まれるDE信号を端子IN5に関する種別情報として検出し、その検出結果を保持する。また、DPCD検出保持回路３０２ｃは、端子IN5からの映像信号に含まれるDPCDを端子IN5に関する種別情報として検出し、その検出結果を保持する。
【００９４】
その後、信号判別監視回路３０２において、全黒検出回路３０１ａまたはDE検出保持回路３０２ａが端子IN5からの全黒信号を検出すると、検出保持回路３０１ｂは、全黒信号を検出した後に端子IN5から入力される映像信号に含まれる水平同期信号および垂直同期信号から、水平同期周波数、垂直同期周波数、総ライン数、同期極性、同期タイプ、スキャンタイプ、垂直同期幅、および、有効映像ライン数を、端子IN5に関する種別情報として検出し、その検出結果（端子IN5に関する種別情報）を、既に保持されていた端子IN5に関する種別情報の代わりに保持する。また、端子IN5からの全黒信号が検出されると、DE検出保持回路３０２ａは、その後の端子IN5からの映像信号に含まれるDE信号を端子IN5に関する種別情報として検出し、その検出結果を、既に保持されていた検出結果（端子IN5に関する種別情報）の代わりに保持する。また、端子IN5からの全黒信号が検出されると、DPCD検出保持回路３０２ｃは、その後の端子IN5からの映像信号に含まれるDPCDを端子IN5に関する種別情報として検出し、その検出結果（DPCD）を、既に保持されていた検出結果（端子IN5に関する種別情報）の代わりに保持する。
【００９５】
信号判別監視回路３０２は、DPCD検出保持回路３０２ｃが検出結果を保持するごとに、DPCD検出保持回路３０２ｃが検出結果を保持したことを示す第３検出信号をCPU６０１に出力する。
【００９６】
CPU６０１は、第３検出信号を受け付けると、DPCD検出保持回路３０２ｃから検出結果（端子IN5に関する種別情報）を読み取り、その検出結果に基づいて、ディスプレイポートレシーバ２０５の動作（例えば、フレームを確定する動作）を設定し、ディスプレイポート端子１０５が受け付けているディスプレイポート信号に適した動作をディスプレイポートレシーバ２０５に実行させる。
【００９７】
固定信号ライン監視保持回路３０３は、選択端子がS端子１０３でもなくコンポジット端子１０６でもなくRJ-45端子１０７でもなくUSB端子１０４でもない場合にCPU６０１が指示する監視タイミング（この監視タイミングは任意に設定可能）で、固定信号ライン監視保持回路３０３と接続する端子を、端子IN3と端子IN4の間で切り替えていく。
【００９８】
固定信号ライン監視保持回路３０３は、端子IN3と接続している間、定期的に、端子IN3からの映像信号に含まれる水平同期信号および垂直同期信号から映像ライン数を端子IN3に関する種別情報として検出し、その検出結果（端子IN3に関する種別情報）を保持する。なお、固定信号ライン監視保持回路３０３は、最新の端子IN3に関する種別情報のみを保持する。
【００９９】
固定信号ライン監視保持回路３０３は、最新の端子IN3に関する種別情報を保持するごとに、固定信号ライン監視保持回路３０３が端子IN3に関する種別情報を保持したことを示す第４検出信号をCPU６０１に出力する。
【０１００】
CPU６０１は、第４検出信号を受け付けると、固定信号ライン監視保持回路３０３から端子IN3に関する種別情報を読み取り、その検出結果に基づいて、ビデオデコーダ２０３の動作（例えば、フレームを確定する動作）を設定し、S端子１０３またはコンポジット端子１０６が受け付けているビデオ信号に適した動作をビデオデコーダ２０３に実行させる。
【０１０１】
また、固定信号ライン監視保持回路３０３は、端子IN4と接続している間、定期的に、端子IN4からの映像信号に含まれる水平同期信号および垂直同期信号から映像ライン数を端子IN4に関する種別情報として検出し、その検出結果（端子IN4に関する種別情報）を保持する。なお、固定信号ライン監視保持回路３０３は、最新の端子IN4に関する種別情報のみを保持する。
【０１０２】
このような状況下で、CPU６０１は、受付部４０１にて選択指示が受け付けられると、スケーラー回路５０１に、表示信号を固定値に設定して表示映像を所定の映像（例えば、ブルーブラック映像）にする指示、または、スケーラー回路５０１に表示映像の静止（フリーズ）する指示を出力する。
【０１０３】
スケーラー回路５０１は、CPU６０１からの指示に従い、表示パネル７０１に所定の映像（例えば、ブルーブラック映像）を表示するか、表示パネル７０１の表示映像を静止する。
【０１０４】
続いて、CPU６０１は、選択指示が示す入力端子（選択端子）にて受け付けられている選択映像信号の種別情報を、信号判別監視回路３０１、信号判別監視回路３０２および固定信号ライン監視保持回路３０３のいずれかから読み取る。
【０１０５】
CPU６０１は、その種別情報に基づいて、スケーラー回路５０１に、解像度変換データ、アスペクト比およびカラーシステムを設定する。
【０１０６】
また、CPU６０１は、信号判別監視回路３０１、信号判別監視回路３０２および固定信号ライン監視保持回路３０３のうち選択映像信号の種別情報が読み出された回路とスケーラー回路５０１とを接続し、選択映像信号をスケーラー回路５０１に出力する。
【０１０７】
例えば、CPU６０１は、信号判別監視回路３０１、信号判別監視回路３０２および固定信号ライン監視保持回路３０３のうち選択映像信号の種別情報が読み出された回路とスケーラー回路５０１とを接続する旨の接続指示を、信号判別監視回路３０１、信号判別監視回路３０２および固定信号ライン監視保持回路３０３に出力する。信号判別監視回路３０１、信号判別監視回路３０２および固定信号ライン監視保持回路３０３は、その接続指示に従って、スケーラー回路５０１とを接続関係を設定する。
【０１０８】
なお、選択端子がHDMI端子１０２である場合、CPU６０１は、端子IN2を信号判別監視回路３０２に接続し、選択端子が切り替わるまでその接続を固定する。CPU６０１は、端子IN2を信号判別監視回路３０２に接続するタイミングを、HDMI映像信号の垂直同期タイミングに同期したタイミングとする。
【０１０９】
また、選択端子がディスプレイポート端子１０５である場合、CPU６０１は、端子IN5を信号判別監視回路３０２に接続し、選択端子が切り替わるまでその接続を固定する。CPU６０１は、端子IN5を信号判別監視回路３０２に接続するタイミングを、DP映像信号の垂直同期タイミングに同期したタイミングとする。
【０１１０】
また、選択端子がS端子１０３またはコンポジット端子１０６であった場合、CPU６０１は、端子IN3を固定信号ライン監視保持回路３０３に接続し、選択端子が切り替わるまでその接続を固定する。CPU６０１は、端子IN3を固定信号ライン監視保持回路３０３に接続するタイミングを、選択映像信号の垂直同期タイミングに同期したタイミングとする。
【０１１１】
また、選択端子がRJ-45端子１０７またはUSB端子１０４であった場合、CPU６０１は、端子IN4を固定信号ライン監視保持回路３０３に接続し、選択端子が切り替わるまで、その接続を固定する。CPU６０１は、端子IN4を固定信号ライン監視保持回路３０３に接続するタイミングを、選択映像信号の垂直同期タイミングに同期したタイミングとする。
【０１１２】
スケーラー回路５０１は、CPU６０１による設定に従った画像処理を選択映像信号に対して行って表示信号を生成する。
【０１１３】
スケーラー回路５０１は、表示信号を生成すると、所定の映像（例えば、ブルーブラック映像）の表示または映像の静止状態を解除し、表示信号に応じた映像を表示パネル７０１に表示する。
【０１１４】
本実施形態によれば、映像信号監視装置に含まれる、信号判別監視回路３０１、信号判別監視回路３０２および固定信号ライン監視保持回路３０３は、それぞれ、自己に対応する入力端子が受け付けた映像信号から種別情報を検出し、その検出結果を保持する。このため、同時に複数の映像信号を受け付けられ複数の映像信号のそれぞれから同時に種別情報を検出することが可能になる。
【０１１５】
本実施形態では、信号判別監視回路３０１は、水平同期周波数と垂直同期周波数と総ライン数と同期極性と同期タイプとスキャンタイプと垂直同期信号幅と映像ライン数とを種別情報として検出し、その検出結果を保持する。信号判別監視回路３０２は、特徴情報（AVIインフォフレームおよび／またはDPCD）とDE信号と水平同期周波数と垂直同期周波数と総ライン数と同期極性と同期タイプとスキャンタイプと垂直同期信号幅と映像ライン数とを種別情報として検出し、その検出結果を保持する。固定信号ライン監視保持回路３０３は、映像ライン数を種別情報として検出し、その検出結果を保持する。よって、入力端子に適した監視回路が設けられ、映像信号の種別に応じて適切な種別情報を検出することが可能になる。
【０１１６】
また、本実施形態では、処理部５００は、選択指示が受け付けられると、選択指示にて特定される選択端子に対応する監視回路（選択検出手段）を特定し、その監視回路内の検出結果に応じた画像処理を選択映像信号に対して行って表示信号を生成する。表示部パネル７０１は、処理部５００にて生成された表示信号に応じた映像を表示する。
【０１１７】
よって、表示映像を切り替えるための選択指示が受け付けられる前に、種別情報が検出されているため、選択指示が受け付けられてから種別情報を検出することを防止可能となり、選択指示を受け付けてから表示映像が切り替わるまでの時間を短くすることが可能になる。
【０１１８】
また、A/Dコンバータ２０１の設定、HDMIレシーバ２０２の設定、ビデオデコーダ２０３の設定、および、ディスプレイポートレシーバ２０５の設定を、選択指示による入力端子の切り替え以前に行うことが可能になる。よって、A/Dコンバータ２０１、HDMIレシーバ２０２、ビデオデコーダ２０３、および、ディスプレイポートレシーバ２０５のうち、切り換えられた後の入力端子に対応するデバイスの設定を、入力端子の切り替えに伴って新たに行うことを防止可能になる。
【０１１９】
このように、選択指示の受け付けに伴って種別情報の検出および入力端子に対応するデバイスの設定のそれぞれを行うことを防止可能になるので、例えば、選択指示の受け付けに伴い表示映像をブルーブラック映像またはロゴ表示または静止（フリーズ）にする設定をしてから、その設計を解除するまでの時間を、１秒以下に設定することが可能になる。
【０１２０】
また、本実施形態では、処理部５００は、選択指示が受け付けられた場合に、選択映像信号の垂直同期のタイミングに同期したタイミングで、選択端子に対応する監視回路内の検出結果に応じた画像処理を選択映像信号に行って表示信号を生成する動作を開始する。このため、映像が乱れることなく継ぎ目なく表示映像を切り換えることが可能になる。
【０１２１】
なお、本実施形態では、ビデオデコーダ２０３にS端子１０３とコンポジット端子１０６とが接続され、端子IN4にUSB端子１０４とRJ-45端子１０７とが接続されているが、ビデオデコーダ２０３にS端子１０３とコンポジット端子１０６とのいずれかが接続され、端子IN4にUSB端子１０４とRJ-45端子１０７とのいずれかが接続されてもよい。
【０１２２】
以上説明した実施形態において、図示した構成は単なる一例であって、本発明はその構成に限定されるものではない。
【符号の説明】
【０１２３】
１０１      コンピュータ端子（D端子）
１０２      HDMI端子
１０３      S端子
１０４      USB端子
１０５      ディスプレイポート端子
１０６      コンポジット端子（RCA端子）
１０７      RJ-45端子
２０１      A/Dコンバータ
２０２      HDMIレシーバ
２０３      ビデオデコーダ
２０５      ディスプレイポートレシーバ
IN1〜IN5  端子
３００      監視部
３０１      信号判別監視回路
３０２      信号判別監視回路
３０３      固定信号ライン監視回路
４００      受付部
５００      処理部
５０１      スケーラー回路
６０１      CPU
７０１      表示パネル
【図１】
2012111064.tif 000003
【図２】
2012111064.tif 000004
【図３】
2012111064.tif 000005
【図４】
2012111064.tif 000006
【図５】
2012111064.tif 000007
【国際調査報告】
2012111064.tif 000008
2012111064.tif 000009